(57)【要約】【課題】  農薬や化学肥料を大量に用いることなく、植物の成長を促進し、害虫も寄せ付けないようにすることができる土壌改良材を提供する。【解決手段】  石灰窒素製造工程から排出される石灰窒素残渣から成り、炭酸カルシウムに対して１０〜１２％程度の炭素を含有し、水分を含んだ粉粒状の形態を備える。炭素の割合が土壌に対して２〜５％程度、好ましくは３％程度となるように配合する。石炭火力発電所から発生するクリンカアッシュを１０〜５０重量％含むものでも良い。【選択図】  なし【特許請求の範囲】
【請求項１】
炭酸カルシウムに対して１０〜１２重量％程度の炭素を含有し、水分を含んだ粉粒状の形態であることを特徴とする土壌改良材。
【請求項２】
石灰窒素製造工程から排出される石灰窒素残渣から成ることを特徴とする土壌改良材。
【請求項３】
上記土壌改良材は、炭素の割合が土壌に対して２〜５％程度となるように配合されることを特徴とする請求項１または２記載の土壌改良材。
【請求項４】
石炭火力発電所から発生するクリンカアッシュを１０〜５０重量％含むことを特徴とする請求項１または２記載の土壌改良材。
【発明の詳細な説明】
【技術分野】
【０００１】
この発明は、石灰窒素製造工程から排出される石灰窒素残渣等を利用して植物の成長促進を図るための土壌改良材に関する。
【背景技術】
【０００２】
従来、一般的な土壌改良材または土壌改良剤は、土のｐＨを調整したり、不足した成分を補う程度のものであった。また、特許文献１に開示されているように、無機金属塩を含有した土壌改良剤により、通気性通水性を向上させるものや、特許文献２に開示されているように、土壌表面に農薬を含んだ樹脂シートを被せて、殺虫、殺菌、除草等の効果を得るものも提案されている。
【特許文献１】特開２００１−３０３０５６号公報
【特許文献２】特開２００１−２３１３７９号公報
【発明の開示】
【発明が解決しようとする課題】
【０００３】
上記従来の技術の場合、土壌の成分を調整することができるが、植物自体の成長を促進したり、害虫から植物を防御したりするものではなく、これらの目的のためにはさらに肥料や農薬をまく必要がある。しかしながら、農薬や化学肥料を多用するとかえって土に悪影響を与え、環境にも良くなく、また食品における残留農薬も問題となる。
【０００４】
一方、近年農薬や化学肥料の上記弊害から、これらを使用しない農法が行われているが、農薬や化学肥料を用いないと害虫に植物が食べられたり病気になったりして、周囲の作物にも害虫被害を及ぼし成長も遅くなるという問題があった。
【０００５】
この発明は、上記従来の技術の問題点に鑑みて成されたもので、農薬や化学肥料を大量に用いることなく、植物の成長を促進し、害虫も寄せ付けないようにすることができる土壌改良材を提供することを目的とする。
【課題を解決するための手段】
【０００６】
この発明は、炭酸カルシウムに対して１０〜１２％程度の炭素を含有し、水分を含んだ粉粒状の形態である土壌改良材である。この土壌改良材は、石灰窒素製造工程から排出される粉粒状の石灰窒素残渣から成る。また、上記土壌改良材は、炭素の割合が土壌に対して２〜５％程度、好ましくは３％程度となるように配合すると良い。例えば、土壌に対して１０〜２０％程度混合する。
【０００７】
さらに、この発明の土壌改良材は、石炭火力発電所から発生するクリンカアッシュを１０〜５０重量％含むものでも良い。
【発明の効果】
【０００８】
この発明の土壌改良材により、化学肥料や農薬を使うことなく、植物の成長が促進され、しかも害虫による被害も抑えることができる。特に、この発明の土壌改良材に含まれる炭酸カルシウムと炭素とにより、太陽光の中の遠赤外線（波長が６．２７μｍを中心とし手効果を発生する。）の作用によって、空気中及び土壌中の水分子と共振作用を起こし、水クラスターを破壊して大量のマイナスイオンを発生させる。このマイナスイオンは、昆虫に対して生殖抑制効果があり、昆虫には忌避効果を発生する。さらに忌避効果により共生関係にある他の昆虫等に対しても寄り付かなくする効果が期待できる。例えば、この土壌改良材の周囲には蟻は寄り付かず、それによりアブラムシも来ない。さらに、カイガラムシや、マツクイムシにも忌避効果が認められた。一方、マイナスイオンは、爬虫類や哺乳類等の脊椎動物には良好か環境を与える。
【発明を実施するための最良の形態】
【０００９】
以下、この発明の実施の形態について説明する。この実施形態の土壌改良材は、石灰窒素製造工程から排出される石灰窒素残渣から成るもので、炭酸カルシウムに対して１０〜１２％程度の炭素を含有し、野積みされた残渣の場合、水分を２５〜３０％程度含んだ粉粒状の形態である。
【００１０】
この土壌改良材は、炭素の割合が土壌に対して２〜５％程度、好ましくは３％程度となるように配合すると良い。例えば、土壌に対して１０〜２０％程度混合する。また、炭酸カルシウムは、土壌のカルシウム補給に寄与する。
【００１１】
また、この発明の土壌改良材に、石炭火力発電所から発生するクリンカアッシュを１０〜５０重量％含むものでも良い。クリンカアッシュは、石炭火力発電所から排出される燃焼灰で、ボイラーの燃焼により底部に落下したものである。成分は、ＳｉＯ２が５０〜６５％、Ａｌ２Ｏ３が１５〜３０％、Ｆｅ２Ｏ３が３〜１０％、その他ＭｇＯやＣａＯを微量含有する。クリンカアッシュは、表面積が極めて大きく、表面には、微細な孔が存在し、１ｇあたり０．１４８ｍ３もの孔隙があり、約４ｍ２の表面積がある。
【００１２】
従って、クリンカアッシュは、排水性、通気性が良く、保水性や保肥性がよい。この発明の土壌改良材にクリンカアッシュを混合したものは、締め固めに対して支持力が安定し、水田においては漏水の多い土壌に対して効果がある。さらに、凍土抑制効果や、強酸性のホウ素欠乏土壌に対して有効である。
【実施例１】
【００１３】
以下、この発明の土壌改良材の一実施例の組成について表１に示す。
【表１】
2005187531.tif 000002
【００１４】
この実施例の土壌改良材の粒度分布を表２に示す。
【表２】
2005187531.tif 000003
この実施例の土壌改良材を炭素が土壌の約３％になるように配合して育てたブロッコリーの生育状態の写真を図１に示す。比較例として、この発明の土壌改良材を与えずに、代わりに通常の肥料を与えた例の写真を図２に示す。図３は、図１，２に示すブロッコリーの畝全体を示す。
【００１５】
この結果、肥料も与えずにこの実施例の土壌改良材のみ青土壌に配合して育てたブロッコリーは、農薬の散布をしないにもかかわらず、葉が害虫に食べられることが無く、しかも生育自体も、比較例よりも良いものであった。これに対して、肥料を与えてこの土壌改良材を与えていない方のブロッコリーは、一部の株が害虫にやられて枯れてしまいまばらとなり、全体としても生育状態が悪いものであった。
【００１６】
以上の結果、この土壌改良材を土壌に配合することにより、植物の生育を良好なものとするとともに、害虫に対する基肥効果があり、農薬を使うことなく害虫による被害を防止することができることが確かめられた。
【図面の簡単な説明】
【００１７】
【図１】この発明の一実施例の土壌改良材を与えて生育したブロッコリーの写真である。
【図２】この発明の土壌改良材を与えないで生育したブロッコリーの写真である。
【図３】図１，２に示すブロッコリーの畝全体を示す写真である。
【符号の説明】
【００１８】
１０  土壌改良材を与えた畝で生育したブロッコリー
１２  土壌改良材を与えない畝で生育したブロッコリー
【図１】
2005187531.tif 000004
【図２】
2005187531.tif 000005
【図３】
2005187531.tif 000006